(57)【要約】【課題】  ランプの位置が安定したバックライトアセンブリを提供する。【解決手段】  光を発生するためのランプ２１１を指定された位置に配置させるためのランプ固定板２２０は、ベース基板２２１、ベース基板２２１から突出してランプ２１１と結合する固定クリップ２２２及びベース基板２２１を貫通する固定穴２２１ａを備える。モールドフレーム２６０にはランプ固定板２２０を収納するための収納部２６１が用意され、収納部の上面には固定穴２２１ａに挿入される固定突起２６１ｂが備えられる。固定突起の一端部にはキャッチングジョー２６１ｃが形成され、ランプ固定板２２０がスライディングによりその下に押し込まれることによりベース基板２２１を上から押さえる。したがって、バックライトアセンブリの組立性を向上させることができる。【選択図】      図２
2004247277.tif 000002
【特許請求の範囲】
【請求項１】
光を発生するためのランプと、
ベース基板、前記ベース基板の上面から突出し前記ランプを固定するための固定クリップ及び前記ベース基板を貫通して形成された第１固定部を含む固定板と、
前記固定板を収納するための収納部を提供し、前記収納部の基底面から突出し前記第１固定部に挿入され、前記第１固定部を貫通した端部から折り曲げられたキャッチングジョーを備えて前記固定板を前記収納部に固定するための第１固定突起を有する収納容器と、
を含むことを特徴とするバックライトアセンブリ。
【請求項２】
前記固定板は前記収納部に置かれた後、第１方向にスライディングされることにより前記収納容器に結合されることを特徴とする請求項１に記載のバックライトアセンブリ。
【請求項３】
前記キャッチングジョーは前記第１固定突起の端部から前記第１方向と反対の第２方向に折り曲げられていることを特徴とする請求項２に記載のバックライトアセンブリ。
【請求項４】
前記キャッチングジョーは前記固定板がスライディングされた後に前記ベース基板の上面と接触することを特徴とする請求項３に記載のバックライトアセンブリ。
【請求項５】
前記固定板は前記ベース基板の背面から突出した第２固定突起をさらに含むことを特徴とする請求項３に記載のバックライトアセンブリ。
【請求項６】
前記収納容器は前記収納部の上面に形成されて前記第２固定突起を収納するための第２固定部をさらに備えることを特徴とする請求項５に記載のバックライトアセンブリ。
【請求項７】
前記第２固定部は前記収納部の上面から陥没して形成されることを特徴とする請求項６に記載のバックライトアセンブリ。
【請求項８】
前記第２固定突起は前記ベース基板から部分的に切開された状態で前記収納部の上面に向かって傾くよう突出させられたことを特徴とする請求項５に記載のバックライトアセンブリ。
【請求項９】
前記固定板は互いに同一である形状を有する第１及び第２固定板からなり、前記第１及び第２固定板は前記ランプの両端部を収納して固定することを特徴とする請求項１に記載のバックライトアセンブリ。
【請求項１０】
前記固定板は前記ベース基板から突出し前記ランプが前記収納容器の側壁側に移動することを防止するための第３固定突起をさらに含むことを特徴とする請求項１に記載のバックライトアセンブリ。
【請求項１１】
前記第３固定突起は前記ランプの一端部と前記収納容器の側壁との間に配置されることを特徴とする請求項１０に記載のバックライトアセンブリ。
【請求項１２】
前記第３固定突起は前記ランプの一端部と接触されることを特徴とする請求項１０に記載のバックライトアセンブリ。
【請求項１３】
前記ランプは、
光を発生するためのチューブ本体と、
前記チューブ本体の両端部の外側を取り囲むように各々備えられて、前記チューブ本体を駆動するための駆動電圧の提供を受ける外部電極と、
前記チューブ本体内に注入された放電ガスを含むことを特徴とする請求項１に記載のバックライトアセンブリ。
【請求項１４】
前記固定クリップは前記外部電極に電気的に連結され、外部装置から提供される前記駆動電圧を前記外部電極に提供することを特徴とする請求項１３に記載のバックライトアセンブリ。
【請求項１５】
前記固定板は前記ベース基板を貫通する第１貫通穴をさらに備えることを特徴とする請求項１３に記載のバックライトアセンブリ。
【請求項１６】
前記外部装置は前記第１貫通穴に対応する第２貫通穴が形成されたリング形状の端部を有する電極線を備えて前記固定板に前記駆動電圧を印加することを特徴とする請求項１５に記載のバックライトアセンブリ。
【請求項１７】
前記収納部は前記第１及び第２貫通穴に対応する締結凹所をさらに備えて、
前記固定板は前記第１貫通穴及び第２貫通穴を貫通して前記締結凹所に結合されるスクリューにより前記電極線と電気的に連結されることを特徴とする請求項１６に記載のバックライトアセンブリ。
【請求項１８】
光を発生するためのランプと、
ベース基板、前記ベース基板の上面から突出し、前記ランプを前記上面に固定するための固定クリップ及び前記ベース基板から突出し、前記ランプが前記ランプの長さ方向に移動することを防止するための固定突起を含む固定板と、
前記固定板と前記固定板に結合された前記ランプを収納するための収納部を提供する収納容器と、
を含むことを特徴とするバックライトアセンブリ。
【請求項１９】
前記固定突起は前記ランプの一端部と前記収納容器の側壁との間に配置され前記ランプが前記収納容器の側壁側に移動することを阻止することを特徴とする請求項１８に記載のバックライトアセンブリ。
【請求項２０】
前記固定突起は前記ランプの一端部と接触することを特徴とする請求項１８に記載のバックライトアセンブリ。
【請求項２１】
外部から光の入力を受けて映像を表示するための液晶表示パネルと、
前記光を発生するためのランプと、
ベース基板、前記ベース基板の上面から突出し前記ランプを固定するための固定クリップ及び前記ベース基板を貫通して形成された第１固定部を含む固定板と、
前記固定板を収納するための収納部を提供し、前記収納部の基底面から突出し前記第１固定部に挿入され、前記第１固定部を貫通した端部から折り曲げられたキャッチングジョーを備えて前記固定板を前記収納部に固定するための第１固定突起を有する収納容器と、
を含むことを特徴とする液晶表示装置。
【発明の詳細な説明】
【技術分野】
【０００１】
本発明はバックライトアセンブリ及びこれを有する液晶表示装置に関するものであり、より詳細には、組立性を向上させることができ、光効率を増大させることができるバックライトアセンブリ及びこれを有する液晶表示装置に関するものである。
【背景技術】
【０００２】
液晶表示装置は映像を表示するための液晶表示パネル及び前記液晶表示パネルに光を提供するためのバックライトアセンブリを含む。
【０００３】
最近、液晶表示装置のサイズが大型化されるにつれて、液晶表示パネル及びバックライトアセンブリのサイズも増加される。その結果、液晶表示装置は前記液晶表示パネルの後面で平行に配列され液晶表示パネルに直接的に光を提供する複数のランプを有する直下型バックライトアセンブリを広く用いている。
【０００４】
直下型バックライトアセンブリは、ランプ用電極が放電ガスが注入されたチューブ本体の両端部を外側で取り囲むように形成される外部電極ランプを広く利用する。外部電極ランプは、外部電極を通じて外部装置から提供されるランプ駆動電圧に応答して光を発生する。外部電極ランプを用いる直下型バックライトアセンブリは、一般にランプ固定板と外部電極ランプを収納するためのモールドフレームを備える。
【０００５】
ランプ固定板はモールドフレームに締結され、外部電極ランプを指定された位置に固定させる。また、ランプ固定板は外部電極と電気的に連結されランプ駆動電圧を外部電極ランプに提供する。
【０００６】
したがって、ランプ固定板が前記モールドフレームに所定の位置で締結されなければ、ランプ固定板に収納された外部電極ランプも移動し直下型バックライトアセンブリの組立性が低下する。
【０００７】
また、外部電極ランプの移動により外部電極ランプの有効発光領域が前記液晶表示装置の表示領域と対応せずに、直下型バックライトアセンブリの光効率が低下する。
【０００８】
これにより、直下型バックライトアセンブリから射出される光の輝度均一性が低下すると、液晶表示装置の表示特性が低下する。
【発明の開示】
【発明が解決しようとする課題】
【０００９】
本発明の目的は、組立性を向上させることができ、光効率を増大させることができるバックライトアセンブリを提供することにある。
【００１０】
本発明の他の目的は、かかるバックライトアセンブリを有する液晶表示装置を提供することにある。
【課題を解決するための手段】
【００１１】
上述した目的を達成するための本発明によるバックライトアセンブリは、光を発生するためのランプと、ランプを固定するための固定板及び前記固定板とランプを収納するための収納容器を含む。
【００１２】
前記固定板はベース基板と、前記ベース基板の上面から突出し前記ランプを固定するための固定クリップと、前記ベース基板を貫通して形成された第１固定部とを含む。
【００１３】
前記収納容器は、前記固定板を収納するための収納部を有し、前記収納部は第１固定部に挿入された後、前記ベース基板を貫通した一端部から折り曲げられて形成されたキャッチングジョーにより、固定板が前記収納部から離脱されることを防止するための第１固定突起を備える。
【００１４】
上述した目的を達成するための本発明による液晶表示装置は、外部から光の入力を受けて映像を表示するための液晶表示パネルと、前記光を発生するためのランプと、ランプを固定するための固定板及び前記固定板とランプを収納するための収納容器を含む。
【００１５】
前記固定板はベース基板、前記ベース基板の上面から突出し前記ランプを固定するための固定クリップ及び前記ベース基板を貫通して形成された第１固定部を含む。
【００１６】
前記収納容器は、前記固定板を収納するための収納部を有し、前記収納部は第１固定部に挿入された後、前記ベース基板を貫通した一端部から折り曲げられて形成されたキャッチングジョーにより前記固定板が前記収納部から離脱されることを防止するための第１固定突起をさらに備える。このようなバックライトアセンブリ及びこれを有する液晶表示装置によると、固定板はモールドフレームに形成された第１固定突起を収納するための第１固定穴を備えて、第１固定突起が第１固定穴に挿入された後、第１固定突起の一端部に形成されたキャッチングジョーがベース基板と接触することにより、固定板がモールドフレームから離脱されないように固定される。
【発明を実施するための最良の形態】
【００１７】
以下、図面を参照して本発明の望ましい一実施形態をより詳細に説明する。
【００１８】
図１は本発明の一実施形態による液晶表示装置を具体的に示した斜視図であり、図２は図１に示したバックライトアセンブリを具体的に示した斜視図である。
【００１９】
図１及び図２に示すように、本発明の一実施形態による液晶表示装置６００は映像を表示するディスプレーユニット１００及び前記ディスプレーユニット１００に光を提供するためのバックライトアセンブリ２００を含む。
【００２０】
前記ディスプレーユニット１００は映像を表示する液晶表示パネル１１０、前記液晶表示パネル１１０を駆動するためのゲート側及びデータ側印刷回路基板１２０、１３０側からなる。
【００２１】
また、バックライトアセンブリ２００は光を発生するための複数のランプ２１１からなったランプユニット２１０、ランプ２１１を所定の位置にガイドしそこで支持するための第１及び第２ランプ固定板２２０、２３０、前記光を拡散するための拡散板２４０、拡散板２４０上に備えられて光の光学特性を向上させるための光学シート群２５０及び光学シート群２５０、拡散板２４０、ランプユニット２１０、第１及び第２ランプ固定板２２０、２３０を収納するためのモールドフレーム２６０を備える。
【００２２】
ランプユニット２１０は第１方向Ｄ１に延びたランプ２１１が第１方向Ｄ１と直交する第２方向Ｄ２に互いに離隔され並んでいる構成を有する。ランプ２１１各々はチューブ本体２１１ａ、前記チューブ本体２１１ａの両端部に位置する外部電極２１１ｂ、２１１ｃ及びチューブ本体２１１ａ内部に注入されている放電ガス（図示せず）からなる。
【００２３】
外部電極２１１ｂは金属物質からなり、チューブ本体２１１ａの両端部の外側を取り囲むように各々形成される。また、外部電極２１１ｂは外部装置、例えば、電力供給装置（図示せず）から提供されるランプ駆動電圧の供給を受けてチューブ本体２１１ａに提供する。
【００２４】
第１ランプ固定板２２０はランプ２１１各々の一端部を収納するものでモールドフレーム２６０に固定され、第２ランプ固定板２３０はランプ２１１各々の他端部を収納するものでモールドフレーム２６０に固定される。したがって、ランプ２１１はモールドフレーム２６０の定まった位置に固定されることができる。
【００２５】
一方、モールドフレーム２６０はランプユニット２１０、拡散板２４０、光学シート群２５０、第１及び第２ランプ固定板２２０、２３０を収納するための収納空間を提供する。これのために、モールドフレーム２６０は側壁と前記側壁から延びて第１ランプ固定板２２０を収納するための第１収納部２６１及び第２ランプ固定板２３０を収納するための第２収納部２６２を備える。
【００２６】
ここで、第１及び第２ランプ固定板２２０、２３０は互いに同一の構造を有する。したがって、第１ランプ固定板２２０の構造を詳細に説明し、第２ランプ固定板２３０の構造に対する具体的な説明は省略する。
【００２７】
第１ランプ固定板２２０はランプ２１１の一端部に形成された外部電極２１１ｂと結合する固定クリップ２２２を有し、モールドフレーム２６０の第１収納部２６１に収納される。また、第２ランプ固定板２３０はランプ２１１の他の一端部に形成された外部電極２１１ｃと結合する固定クリップを有し、モールドフレーム２６０の第２収納部２６２に収納される。
【００２８】
第１ランプ固定板２２０はベース基板２２１、ベース基板２２１から突出しランプ２１１を収納するための固定クリップ２２２及び、前記ベース基板２２１を貫通して形成され、モールドフレーム２６０に形成される固定突起と締結される第１固定穴２２１ａを含む。
【００２９】
一方、モールドフレーム２６０は第１ランプ固定板２２０を収納するための第１収納部２６１を有し、第１収納部２６１は第１収納部２６１の上面から突出した第１固定突起２６１ｂを有する。第１固定突起２６１ｂの一端部には第１固定突起２６１ｂが突出した方向と直交する方向に折り曲げられて、第１ランプ固定板２２０が第１収納部２６１から離脱されないように固定するキャッチングジョー２６１ｃを備える。
【００３０】
また、第１ランプ固定板２２０はベース基板２２１から第１収納部２６１の上面に向かって突出した第２固定突起２２３をさらに備える。具体的には、第２固定突起２２３はベース基板２２１から部分的に切開された状態で第１収納部２６１側に傾いて突出させられる。
【００３１】
一方、モールドフレーム２６０は第１収納部２６１の上面から陥没されて形成され、前記第２固定突起２２３を収納するための第２固定穴２６１ａを有する。ここで、モールドフレーム２６０の第２収納部２６２は第１収納部２６１と同一の構造を有するので、具体的な説明は省略する。
【００３２】
前記第１及び第２ランプ固定板２２０、２３０がモールドフレーム２６０の第１及び第２収納部２６１、２６２に各々収納されると、第１及び第２ランプ固定板２２０、２３０は第１及び第２収納部２６１、２６２にフック結合されて固定される。
【００３３】
第１及び第２ランプ固定板２２０、２３０は外部装置（図示せず）からランプ駆動電圧の印加を受けてランプ２１１各々の両端部に形成された外部電極２１１ｂ、２１１ｃを通じてランプ２１１にそれを提供してランプ２１１を駆動する。外部装置はランプ駆動電圧を第１及び第２ランプ固定板２２０、２３０に各々印加するための第１及び第２電極線２７０、２８０を備えて、前記第１及び第２電極線２７０、２８０の一端部は、スクリュー２７２、２８２が貫通する程度の大きさを有する第１貫通穴２７１、２８１を各々備えてリング形状を有する。
【００３４】
ランプ２１１を駆動するために、外部装置はランプ駆動電圧を第１及び第２電極線２７０、２８０を通じて第１及び第２ランプ固定板２２０、２３０に各々提供する。ここで、第１及び第２ランプ固定板２２０、２３０のいずれか一つは外部装置から高電圧が印加され、他の一つは低電圧、例えば接地電圧レベルの電位を維持する、一方、第２ランプ固定板２３０に第２電極線２８０を連結しない場合、第２ランプ固定板２３０は別途の接地ライン（図示せず）を通じて接地されることが望ましい。
【００３５】
ここで、第１ランプ固定板２２０と第２ランプ固定板２３０の構造は互いに同一であるので、第１ランプ固定板２２０の結合構造について具体的に説明し、第２ランプ固定板２３０の結合構造に対しては省略する。
【００３６】
第１ランプ固定板２２０は第１貫通穴２７１に対応する第２貫通穴２２１ｂを備える。また、モールドフレーム２６０には第１及び第２貫通穴２７１、２２１ｂに対応する締結凹所２６１ｄが形成される。第１ランプ固定板２２０がモールドフレーム２６０の第１収納部２６１に結合されると、スクリュー２７２は第１及び第２貫通穴２７１、２２１ｂを順次に貫通して締結凹所２６１ｄに締結される。したがって、第１ランプ固定板２２０と第１電極線２７０がスクリュー２７２により電気的に連結され、第１ランプ固定板２２０は外部装置から印加されるランプ駆動電圧の提供を受ける。
【００３７】
次いで、ランプ２１１は第１及び第２ランプ固定板２２０、２３０に固定される。第１及び第２ランプ固定板２２０、２３０は金属物質からなり、外部電極２１１ｂと電気的に導通する。したがって、外部装置から提供されるランプ駆動電圧は第１及び第２ランプ固定板２２０、２３０を通じて外部電極２１１ｂに提供される。
【００３８】
第１及び第２ランプ固定板２２０、２３０はモールドフレーム２６０に収納されたランプ２１１を指定された位置に固定することができ、かつランプ２１１にランプ駆動電圧を各々印加することができる。次いで、モールドフレーム２６０はボトムシャーシ３００に収納される。
【００３９】
一方、光学シート群２５０上には、ミドルシャーシ４００が備えられ、ミドルシャーシ４００上に定着される液晶表示パネル１１０を支持する。液晶表示パネル１１０はボトムシャーシ３００と対向して結合するトップシャーシ５００によりミドルシャーシ４００に固定される。トップシャーシ５００には液晶表示パネル１１０の有効ディスプレー領域を露出させるための開口部５１０が用意される。
【００４０】
図３は図２に示した第１ランプ固定板２２０をより明瞭に示した斜視図であり、図４は図２に示した第１ランプ固定板２２０とモールドフレームとの結合関係を具体的に示す断面図である。
【００４１】
図３及び図４に示すように、第１ランプ固定板２２０はベース基板２２１、ベース基板２２１から突出しランプを固定するための固定クリップ２２２及びベース基板２２１を貫通して形成され、モールドフレーム２６０に形成される第１固定突起２６１ｂに締結されるための第１固定穴２２１ａを含む。
【００４２】
一方、モールドフレーム２６０は第１ランプ固定板２２０を収納するための第１収納部２６１を有し、第１収納部２６１は第１収納部２６１の上面から突出した第１固定突起２６１ｂを有する。
【００４３】
第１固定突起２６１ｂの一端部には第１固定突起２６１ｂが突出した方向と直交する方向に折り曲げられたキャッチングジョー２６１ｃが備えられる。キャッチングジョー２６１ｃは第１ランプ固定板２２０が第１収納部２６１に結合された後に第１ランプ固定板２２０が第１収納部２６１から離脱されないように固定する。
【００４４】
第１固定突起２６１ｂはキャッチングジョー２６１ｃを有するために、第１ランプ固定板２２０は第１収納部２６１に定着された後、所定の方向に移動するスライディング方式で結合される。図４に示したように、キャッチングジョー２６１ｃが第３方向Ｄ３に折り曲げられている場合には、第１ランプ固定板２２０はキャッチングジョー２６１ｃが第１固定穴２２１ａを貫通するように第１収納部２６１に置かれた後、第３方向Ｄ３と反対方向である第４方向Ｄ４に移動させられる。
【００４５】
第１ランプ固定板２２０が第４方向Ｄ４に移動すると、キャッチングジョー２６１ｃは第１ランプ固定板２２０のベース基板２２１の上面と接触する。以下では、第１固定突起２６１ｂと対応するベース基板２２１の上面の一部を加圧面２２１ｃと呼ぶ。したがって、第１固定突起２６１ｂは第１ランプ固定板２２０が第５方向Ｄ５に移動しないように固定する。
【００４６】
しかし、第１ランプ固定板２２０がキャッチングジョー２６１ｃにより第５方向Ｄ５に固定されるが、第１ランプ固定板２２０を第３及方向Ｄ３に移動しないように規制することができる構造が必要である。即ち、第１ランプ固定板２２０は、第４方向Ｄ４では移動して来たために、外部衝撃などによって第３方向Ｄ３に容易に再移動することができる。
【００４７】
したがって、第１ランプ固定板２２０はベース基板２２１から第１収納部２６１の上面に向かって突出した第２固定突起２２３をさらに備える。第２固定突起２２３はベース基板２２１の所定部分をパンチング加工することで形成される。具体的には、第２固定突起２２３はベース基板２２１から部分的に切開された状態で第１収納部２６１側に傾くよう突出させられる。ここで、第２固定突起２２３は第１ランプ固定板２２０の移動方向である第４方向Ｄ４と向き合う傾斜面を有するように傾いている。
【００４８】
一方、モールドフレーム２６０は第１収納部２６１の上面から陥没されて形成され、第２固定突起２２３を収納するための第２固定穴２６１ａを有する。
【００４９】
第１収納部２６１上で第１ランプ固定板２２０が第４方向Ｄ４にスライディングされると、第２固定突起２２３が第２固定穴２６１ａに収納される。したがって、第１ランプ固定板２２０は第３方向Ｄ３に向け再離脱されずに、第１収納部２６１に固定される。
【００５０】
一方、第１ランプ固定板２２０のベース基板２２１はプレート形状を有し、一側端部に第２貫通穴２２１ｂが形成された基板である。第１ランプ固定板２２０、第１電極線２７０及びモールドフレーム２６０は第２貫通穴２２１ｂ、第１貫通穴２７１（図２）及びモールドフレーム２６０の締結穴２６１ｄ（図２参照）を順次に貫通するスクリュー２７２（図２）により互いに締結される。従って、第１ランプ固定板２２０と第１電極線２７０とは電気的に連結される。
【００５１】
固定クリップ２２２各々はベース基板２２１の上面から突出してランプ各々の一端部、即ち、外部電極２１１ｂが形成された領域と結合される。固定クリップ２２２各々は外部電極２１１ｂが形成された端部が挿入される挿入口２２２ａ及び外部電極２１１ｂが収納される円筒溝形状の収納空間を形成する保持面２２２ｂを備える。挿入口２２２ａの幅Ｗ１は円筒溝の幅Ｗ２及び外部電極２１１ｂの直径より小さいことが望ましい。
【００５２】
挿入口２２２ａの幅Ｗ１が外部電極２１１ｂの直径より小さくても、保持面２２２ｂが弾性を有するために、外部電極２１１ｂが挿入口２２２ａを通じて挿入される瞬間に挿入口２２２ａの幅Ｗ１は外部電極２１１ｂの直径ほど広がる。以後、外部電極２１１ｂが収納空間に完全に収納されると、保持面２２２ｂが元の状態に復帰され、挿入口２２２ａの幅も再度狭くなる。
【００５３】
したがって、外部電極２１１ｂが形成された端部は固定クリップ２２２各々に結合された後に挿入口２２２ａを通じて再度離脱されずに、保持面２２２ｂにより第１ランプ固定板２２０に堅固に結合されることができる。
【００５４】
また、保持面２２２ｂの両端部には挿入口２２２ａの外側において所定の傾斜角で傾いた傾斜面２２２ｃが備えられる。傾斜面２２２ｃはランプの一端部が挿入口２２２ａを容易に通過することができるようにガイドする。
【００５５】
図５は図４に示した第１ランプ固定板がモールドフレームに定着された状態を示した平面図であり、図６は図５を切断線Ａ−Ａ′に沿って切断した断面図である。
【００５６】
図５及び図６に示すように、第１ランプ固定板２２０がモールドフレーム２６０の第１収納部２６１に定着されると、第１固定突起２６１ｂは第１ランプ固定板２２０の第１固定穴２２１ａに挿入される。ここで、第１ランプ固定板２２０が第１収納部２６１に定着される時、キャッチングジョー２６１ｃが第１固定穴２２１ａを確実に通過するようにするために、第１固定穴２２１ａの幅はキャッチングジョー２６１ｃが確実に通過する程度に十分に大きく形成することが望ましい。
【００５７】
一方、第１ランプ固定板２２０の第２固定突起２２３は第１収納部２６１の第２固定穴２６１ａと所定の間隔で離隔された関係で配置される。したがって、第２固定突起２２３は第１収納部２６１の上面と接する関係となる。
【００５８】
第１ランプ固定板２２０が第１収納部２６１上に定着されると、第２固定突起２２３は第１収納部２６１の上面と接するために、ベース基板２２１と殆ど平行な状態に変形される。したがって、モールドフレーム２６０の第１固定突起２６１ｂはベース基板２２１の上面より高く突出されることができる。
【００５９】
図７は図５に示した第１ランプ固定板がモールドフレームに固定された状態を示す平面図であり、図８は図７を切断線Ｂ−Ｂ′に沿って切断した断面図である。
【００６０】
図７及び図８に示すように、モールドフレーム２６０の第１収納部２６１上に定着された第１ランプ固定板２２０が第４方向Ｄ４に移動すると、第１収納部２６１の一端部に形成されたキャッチングジョー２６１ｃは第１ランプ固定板２２０の加圧面２２１ｃの上面と接触する。
【００６１】
したがって、第１ランプ固定板２２０はキャッチングジョー２６１ｃにより固定され、キャッチングジョー２６１ｃは第１ランプ固定板２２０が第１収納部２６１から第５方向Ｄ５に離脱されることを防止する。
【００６２】
一方、第２固定突起２２３はベース基板２２１から部分的に切開された状態で第１収納部２６１側に傾いて突出される。また、第２固定突起２２３は第１ランプ固定板２２０の移動方向である第４方向Ｄ４と向き合う傾斜面を有するように傾く。
【００６３】
したがって、第１ランプ固定板２２０が第４方向Ｄ４に移動すると、第２固定突起２２３は第１収納部２６１に形成された第２固定穴２６１ａに収納される。第２固定穴２６１ａに収納される時、第２固定突起２２３は弾性により元の状態に復帰され、第２固定穴２６１ａを形成する壁と係合可能な位置をとる。従って、第２固定穴２６１ａと第２固定突起２２３は第１ランプ固定板２２０が第３方向Ｄ３に移動することを防止し、第１固定突起２６１ｂと第１固定穴２２１ａは第１ランプ固定板２２０が第４方向Ｄ４に移動することを防止することができる。
【００６４】
次いで、第１収納部２６１に第１ランプ固定板２２０が結合されると、スクリュー２７２はベース基板２２１に形成された第２貫通穴２２１ｂ及び第１電極線２７０の一端部に形成された第１貫通穴２７１を貫通した後、第１収納部２６１に形成された締結凹所２６１ｄに締結される。
【００６５】
したがって、第１ランプ固定板２２０はスクリュー２７２により第１電極線２７０と電気的に連結され、外部装置（図示せず）から生成されたランプ駆動電圧は第１電極線２７０を通じて第１ランプ固定板２２０に印加される。
【００６６】
図９は図２に示したランプが第１ランプ固定板に結合された状態を示す平面図である。
【００６７】
図９に示すように、ランプ２１１は第１ランプ固定板２２０の固定クリップ２２２に各々結合される。ランプ２１１各々の一端部、外部電極が形成された端部が固定クリップ２２２の挿入口２２２ａを通過すると、ランプ２１１の一端部は固定クリップ２２２各々の保持面２２２ｂにより定義される収納空間に収納される。
【００６８】
ここで、挿入口２２２ａの幅Ｗ１はランプ２１１の外部電極２１１ｂが形成された一端部の直径より小さい。ランプ２１１の一端部が挿入口２２２ａを通過する時、保持面２２２ｂの弾性により挿入口２２２ａの幅Ｗ１が外部電極２１１ｂの直径ほど大きくなる。ランプ２１１の外部電極２１１ｂが固定クリップ２２２に挿入された後には、保持面２２２ｂの弾性により挿入口２２２ａの幅が元状態に復帰し、したがって、ランプ２１１は固定クリップ２２２から離脱できない。
【００６９】
一方、ランプ２１１各々は光を発生する有効発光領域（ＥＡ）及び光を発生しない非有効発光領域（ＮＥＡ）に区分される。ランプ２１１各々の両端部には金属物質からなった外部電極２１１ｂが所定の面積を有して備えられる。したがって、外部電極２１１ｂが形成された領域が非有効発光領域（ＮＥＡ）と定義され、外部電極２１１ｂが形成されない領域が有効発光領域（ＥＡ）と定義される。
【００７０】
ランプ２１１は有効発光領域（ＥＡ）のみが液晶表示装置（図示せず）の表示領域（ＤＡ）に対応するように組立てられる。即ち、非有効発光領域（ＮＥＡ）が表示領域（ＤＡ）内に含まれるように配置されると、液晶表示装置の画面上に表示される映像の輝度特性が低下される。また、有効発光領域（ＥＡ）が表示領域（ＤＡ）の周辺に形成された周辺領域（ＰＡ）に部分的に含まれるように配置されると、バックライトアセンブリの光が損失されて全体的に光効率が低下する。
【００７１】
したがって、ランプ２１１は非有効発光領域（ＮＥＡ）が液晶表示パネル１００の周辺領域（ＰＡ）に対応し、有効発光領域（ＥＡ）が液晶表示パネル１００の表示領域（ＤＡ）に対応するように配置されることが望ましい。
【００７２】
図１０は本発明の他の実施形態による第１ランプ固定板を具体的に示す斜視図であり、図１１は図１０に示した第１ランプ固定板にランプが結合された状態を示す平面図である。図１０及び図１１では、本発明の第１の実施形態による第１ランプ固定板と同様の構成要素に対しては同一の参照符号を併記し、その詳細な説明は省略する。
【００７３】
図１０及び図１１に示すように、第１ランプ固定板２２０はベース基板２２１及びベース基板２２１の上面から突出しランプ２１１を収納するための固定クリップ２２２を含む。また、第１ランプ固定板２２０はベース基板２２１を貫通して形成された第１固定穴２２１ａ及びモールドフレーム２６０の第１収納部２６１に向かって突出された第２固定突起２２３及びベース基板２２１から折り曲げられた後、固定クリップ２２２が突出された方向と同一の方向に延びた第３固定突起２２４をさらに含む。
【００７４】
第３固定突起２２４は固定クリップ２２２が形成された位置に対応するように備えられる。固定クリップ２２２にランプ２１１の一端部が各々結合されると、第３固定突起２２４はランプ２１１の一端部とモールドフレーム２６０の側壁との間に挿入された状態となる。さらに望ましくは、第３固定突起２２４はランプ２１１の一端部と接触してランプ２１１が第６方向に離脱されることを防止する。
【００７５】
一方、図２に示すように、モールドフレーム２６０の第２収納部（図示せず）には第１ランプ固定板２２０と同じ構造を有する第２ランプ固定板（図示せず）が配置される。同様に、第２ランプ固定板（図示せず）は第３固定突起２２４と同様の機能を有する第４固定突起（図示せず）を備える。
【００７６】
第３固定突起２２４及び第４固定突起（図示せず）はランプ２１１がこれら突起自体の厚さに対応した距離ランプ２１１がモールドフレーム２６０の側壁側に移動される幅を減少させることができる。したがって、外部から衝撃が加えられてもランプ２１１の有効発光領域（ＥＡ）がモールドフレーム２６０の第１収納部２６１及び第２収納部内に移動する現象を防止することができる。これにより、バックライトアセンブリの光効率を向上させることができる。
【００７７】
また、第３固定突起２２４及び第４固定突起（図示せず）はランプ２１１の移動を防止するためにランプ２１１の非有効発光領域（ＮＥＡ）が液晶表示装置の表示領域（ＤＡ）内に移動することを防止することができる。これにより、バックライトアセンブリから射出される光の輝度差異を最少化して液晶表示装置の表示特性を向上させることができる。
【００７８】
以上では、本発明によるバックライトアセンブリが液晶表示装置に利用される例を説明したが、バックライトアセンブリは液晶表示装置だけでなく、有機電界発光表示装置及びプラズマ表示装置でも十分に適用されることができる。
【００７９】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００８０】
本発明によると、ランプ固定板がモールドフレームに締結された後に外部から加えられる衝撃により浮動する現象を防止することができ、それによりバックライトアセンブリの位置の安定性を向上させることができる。
【００８１】
また、ランプ固定板に固定されたランプの浮動も防止することができるので、ランプの光効率を向上させることができ、バックライトアセンブリの全体的な輝度を均一にすることにより液晶表示装置の表示特性を向上させることができる。
【産業上の利用可能性】
【００８２】
本発明は、液晶表示装置等、バックライトを必要とするものの製造において、各々のライトの浮動が押さえられた取り扱いの優れたバックライトとして利用することができる。
【図面の簡単な説明】
【００８３】
【図１】本発明の一実施形態による液晶表示装置を具体的に示す斜視図である。
【図２】図１に示したバックライトアセンブリを具体的に示す斜視図である。
【図３】図２に示した第１ランプ固定板を具体的に示す斜視図である。
【図４】図３に示した第１ランプ固定板とモールドフレームの結合関係を示す図面である。
【図５】図３に示した第１ランプ固定板とモールドフレームの結合関係を示す図面である。
【図６】図３に示した第１ランプ固定板とモールドフレームの結合関係を示す図面である。
【図７】図３に示した第１ランプ固定板とモールドフレームの結合関係を示す図面である。
【図８】図３に示した第１ランプ固定板とモールドフレームの結合関係を示す図面である。
【図９】図３に示したランプが第１ランプ固定板に結合された状態を示す平面図である。
【図１０】本発明の他の実施形態による第１ランプ固定板を具体的に示す斜視図である。
【図１１】図１０に示した第１ランプ固定板にランプが結合された状態を示す平面図である。
【符号の説明】
【００８４】
１００    ディスプレーユニット
１１０    液晶表示パネル
２００    第１ランプ固定板
１２０    ゲート側印刷回路基板
１３０    データ側印刷回路基板
２１０    ランプユニット
２１１    ランプ
２２０    第１ランプ固定板
２２１    ベース基板
２２２    固定クリップ
２３０    第２ランプ固定板
２４０    拡散板
２５０    光学シート群
２６０    モールドフレーム
２７１    第１貫通穴
２７２    スクリュー
３００    ボトムシャーシ
４００    ミドルシャーシ
５００    トップシャーシ
５１０    開口部
６００    液晶表示装置
【図１】
2004247277.tif 000003
【図２】
2004247277.tif 000004
【図３】
2004247277.tif 000005
【図４】
2004247277.tif 000006
【図５】
2004247277.tif 000007
【図６】
2004247277.tif 000008
【図７】
2004247277.tif 000009
【図８】
2004247277.tif 000010
【図９】
2004247277.tif 000011
【図１０】
2004247277.tif 000012
【図１１】
2004247277.tif 000013